(57)【要約】【課題】  ２層ディスクの種類（追記型２層ディスク、書換え型２層ディスク、ＲＯＭ型２層ディスク）の判別を簡単かつ正確に行えるようにすること。【解決手段】  （１）光ディスク装置に装填された２層ディスクの各層に対して波長の異なる光を合焦状態で照射して各々の波長光の反射率を求めるステップと、求められた各々の波長光の反射率の組合せに応じて、前記２層ディスクが追記型２層ディスク、書換え型２層ディスク、ＲＯＭ型２層ディスクの何れであるかを判別するステップとを有する２層ディスク判別方法。（２）一方の波長光の波長がＤＶＤ系ディスク用波長であり、他方の波長光の波長がＣＤ系ディスク用波長である（１）記載の２層ディスク判別方法。【選択図】        図２
2005056543.tif 000002
【特許請求の範囲】
【請求項１】
光ディスク装置に装填された２層ディスクの各層に対して波長の異なる光を合焦状態で照射して各々の波長光の反射率を求めるステップと、求められた各々の波長光の反射率の組合せに応じて、前記２層ディスクが追記型２層ディスク、書換え型２層ディスク、ＲＯＭ型２層ディスクの何れであるかを判別するステップとを有することを特徴とする２層ディスク判別方法。
【請求項２】
一方の波長光の波長がＤＶＤ系ディスク用波長であり、他方の波長光の波長がＣＤ系ディスク用波長であることを特徴とする請求項１記載の２層ディスク判別方法。
【請求項３】
求められた各々の波長光の反射率の組合せが、２波長光とも１５％以上の反射率の場合にはＲＯＭ型２層ディスク、１波長光は１５％以上の反射率で他の１波長光は４％以上１５％未満の反射率の場合には追記型２層ディスク、２波長光とも４％以上１５％未満の反射率の場合には書換え型２層ディスクと判別することを特徴とする請求項１又は２記載の２層ディスク判別方法。
【請求項４】
求められた各々の波長光の反射率の組合せが、２波長光とも４％未満の反射率の場合には規格外ディスクと判別することを特徴とする請求項３記載の２層ディスク判別方法。
【請求項５】
波長の異なる２つの光源を有し、装填されたディスクに対して各々の波長光を選択的に照射する光ピックアップと、ディスク種類判別モードにおいて、装填されたディスクが２層ディスクであるか否かを判別する記録層数判別手段と、装填されたディスクが２層ディスクの場合に当該２層ディスクの各層に対して前記光ピックアップにより波長の異なる光を合焦状態で照射して各々の波長光の反射率を求める反射率算出手段と、求められた各々の波長光の反射率の組合せに応じて、当該２層ディスクが追記型２層ディスク、書換え型２層ディスク、ＲＯＭ型２層ディスクの何れであるかを判別する２層ディスク判別手段とを備えることを特徴とする光ディスク装置。
【請求項６】
一方の光源が発する光の波長がＤＶＤ系ディスク用波長であり、他方の光源が発する光の波長がＣＤ系ディスク用波長であることを特徴とする請求項５記載の光ディスク装置。
【請求項７】
前記２層ディスク判別手段は、求められた各々の波長光の反射率の組合せが、２波長光とも１５％以上の反射率の場合にはＲＯＭ型２層ディスク、１波長光は１５％以上の反射率で他の１波長光は４％以上１５％未満の反射率の場合には追記型２層ディスク、２波長光とも４％以上１５％未満の反射率の場合には書換え型２層ディスクと判別することを特徴とする請求項５又は６記載の光ディスク装置。
【請求項８】
前記２層ディスク判別手段は、求められた各々の波長光の反射率の組合せが、２波長光とも４％未満の反射率の場合には規格外ディスクと判別することを特徴とする請求項７記載の光ディスク装置。
【発明の詳細な説明】
【技術分野】
【０００１】
本発明は、２層ディスク判別方法及び光ディスク装置に関する。
【背景技術】
【０００２】
近年、光ディスクとしては様々な種類のものがあり、当初のＣＤ系ディスク（ＣＤ−ＲＯＭ、ＣＤ−Ｒ、ＣＤ−ＲＷ等）に加えて高密度記録を特徴とするＤＶＤ系ディスク（ＤＶＤ−ＲＯＭ、ＤＶＤ±Ｒ、ＤＶＤ±ＲＷ等）も盛んに開発・市販される段階に至り、更には、１枚のディスクに関してより記憶容量を増やすための多層ディスク、一般には２層ディスクについても各種提案がなされるに至っている。特に、２層ＤＶＤ−ＲＯＭについては既に市販段階に至っている。
このような状況下に、これらの各種ディスクが装填される光ディスク装置に関しては、１台でこれらの各種ディスクに対応可能なコンパーチブル型であることが要請されている。例えば、ＤＶＤ系の光ディスクの処理が可能な光ディスク装置では、ＤＶＤ系のディスクだけでなく、ＣＤ系のディスクの記録又は再生も可能なことが要請されている。
【０００３】
このようなコンパーチブル型の光ディスク装置を構成する上では、光ディスクの種類によっては、その情報の記録又は再生方法或いはその条件（パラメータ類）が異なることが多々あるので、記録又は再生動作に先立ち、当該光ディスク装置に装填された光ディスクの種類を判別することが必要である。
このようなディスク判別に関する従来技術として、例えば、追記型ディスク、書換え型ディスク、ＲＯＭ型ディスクの違いを、ＤＶＤ型ディスクに関して、１つの波長光を照射したときにＲＯＭ型１層ディスクと追記型１層ディスクはその反射率が４５％以上であり、ＲＯＭ型２層ディスクと書換え型１層ディスクはその反射率が１８％以上３０％以下であることで分けるようにしたものがある。
【０００４】
従来は、ＣＤの波長でフォーカスを入れてＲＦ信号レベルをみて、高反射率（４５％から６０％）であればＣＤ−ＲＯＭかＣＤ−Ｒと判別し、低反射（１５％−３０％）であればＣＤ−ＲＷと判別し、更にトラッキングをかけてＳ字カーブをみてＣＤ系か否かを再確認している。しかし、ＣＤ−ＲなのかＣＤ−ＲＯＭかの判別には、更に記録をするか或いはウォブルの有無などを利用することにより判別していく必要があるので時間がかかる。
ＣＤではないと判断された場合、次にＤＶＤの判別に移る。その際、ＤＶＤ−ＲＯＭには第一の層だけの１層媒体と第一の層と第二の層の２層を有する２層媒体があり、１層媒体の第一の層のみが高反射（４５％〜６０％）なので決定できるが、ＤＶＤ−ＲＯＭの第一の層と第二の層はＤＶＤ−ＲやＤＶＤ−ＲＷ媒体と同等なので反射率だけでは判断できない。そこでＣＤと同様に、ウォブルの有無や、トラッキングをかけてＳ字カーブをみてＤＶＤと確認した後、記録したりしてＤＶＤ−ＲかＤＶＤ−ＲＷかを判別していくというプロセスが長く、時間がかかる。
【０００５】
また、特許文献１によれば、コンパーチブル型光ディスク装置を想定し、ＣＤ用とＤＶＤ用との両方のレーザ光源を搭載し、これらのレーザ光源を各々一旦発光させて各々のレーザ光による反射光に基づく反射信号、フォーカス誤差信号、トラッキング誤差信号を全て取得した後で、これらの信号情報に基づき総合的にディスクの種類を判別する方法が提案されている。
また、例えば特許文献２によれば、フォーカスサーボを実施するステップと、光ディスクから得られるプッシュプル方式のトラッキング誤差信号を得るステップと、このトラッキング誤差信号の振幅を所定値と比較して、光ディスクの種類、例えばＤＶＤ−ＲＡＭとＤＶＤ−ＲＷ、ＤＶＤ＋ＲＷの何れかを判別するステップとを備えるディスク判別方法が提案されている。或いは、ウォブル信号の周波数を利用する方法についても提案されている。
【０００６】
しかしながら、特許文献１の場合、２層タイプのディスクの判別は想定しておらず、２層タイプのＤＶＤディスク同士（ＤＶＤ−ＲＯＭ，ＤＶＤ±Ｒ，ＤＶＤ±ＲＷ）に関してはその種類を判別することができない上に、反射信号、フォーカス誤差信号、トラッキング誤差信号等に基づき総合的に判断するものであり、判別処理が複雑なものとなっている。
また、特許文献２の場合、プッシュプル信号やウォブル信号の周波数に基づきＤＶＤ−ＲＡＭとＤＶＤ±ＲＷとの判別を行っているものであり、これらのＤＶＤ１層ディスクとＤＶＤ−２層ＲＯＭとの判別は可能なものの、例えば、２層タイプのＤＶＤディスク同士（ＤＶＤ−ＲＯＭ、ＤＶＤ±Ｒ、ＤＶＤ±ＲＷ）に関してはその種類を判別することができない。
【０００７】
【特許文献１】特開平１１−３０６６５０号公報
【特許文献２】特開２００２−３１２９３３公報
【発明の開示】
【発明が解決しようとする課題】
【０００８】
本発明の目的は、２層ディスクの種類（追記型２層ディスク、書換え型２層ディスク、ＲＯＭ型２層ディスク）の判別を簡単かつ正確に行えるようにすることである。
【課題を解決するための手段】
【０００９】
上記課題は次の１）〜８）の発明（以下、本発明１〜８という）によって解決される。
１）  光ディスク装置に装填された２層ディスクの各層に対して波長の異なる光を合焦状態で照射して各々の波長光の反射率を求めるステップと、求められた各々の波長光の反射率の組合せに応じて、前記２層ディスクが追記型２層ディスク、書換え型２層ディスク、ＲＯＭ型２層ディスクの何れであるかを判別するステップとを有することを特徴とする２層ディスク判別方法。
２）  一方の波長光の波長がＤＶＤ系ディスク用波長であり、他方の波長光の波長がＣＤ系ディスク用波長であることを特徴とする１）記載の２層ディスク判別方法。
３）  求められた各々の波長光の反射率の組合せが、２波長光とも１５％以上の反射率の場合にはＲＯＭ型２層ディスク、１波長光は１５％以上の反射率で他の１波長光は４％以上１５％未満の反射率の場合には追記型２層ディスク、２波長光とも４％以上１５％未満の反射率の場合には書換え型２層ディスクと判別することを特徴とする１）又は２）記載の２層ディスク判別方法。
４）  求められた各々の波長光の反射率の組合せが、２波長光とも４％未満の反射率の場合には規格外ディスクと判別することを特徴とする３）記載の２層ディスク判別方法。
５）  波長の異なる２つの光源を有し、装填されたディスクに対して各々の波長光を選択的に照射する光ピックアップと、ディスク種類判別モードにおいて、装填されたディスクが２層ディスクであるか否かを判別する記録層数判別手段と、装填されたディスクが２層ディスクの場合に当該２層ディスクの各層に対して前記光ピックアップにより波長の異なる光を合焦状態で照射して各々の波長光の反射率を求める反射率算出手段と、求められた各々の波長光の反射率の組合せに応じて、当該２層ディスクが追記型２層ディスク、書換え型２層ディスク、ＲＯＭ型２層ディスクの何れであるかを判別する２層ディスク判別手段とを備えることを特徴とする光ディスク装置。
６）  一方の光源が発する光の波長がＤＶＤ系ディスク用波長であり、他方の光源が発する光の波長がＣＤ系ディスク用波長であることを特徴とする５）記載の光ディスク装置。
７）  前記２層ディスク判別手段は、求められた各々の波長光の反射率の組合せが、２波長光とも１５％以上の反射率の場合にはＲＯＭ型２層ディスク、１波長光は１５％以上の反射率で他の１波長光は４％以上１５％未満の反射率の場合には追記型２層ディスク、２波長光とも４％以上１５％未満の反射率の場合には書換え型２層ディスクと判別することを特徴とする５）又は６）記載の光ディスク装置。
８）  前記２層ディスク判別手段は、求められた各々の波長光の反射率の組合せが、２波長光とも４％未満の反射率の場合には規格外ディスクと判別することを特徴とする７）記載の光ディスク装置。
【００１０】
上記本発明１により、異なる波長光を照射したときの反射率の組合せの違いを利用して簡単かつ正確に２層ディスクの種類を判別することができる。
また、上記本発明２により、いわゆるＤＶＤ系とＣＤ系とのコンパーチブル型光ディスク装置に搭載されている２つの光源を利用して容易に２層ディスクの種類を判別することができる。
また、上記本発明３により、本発明１又は２を実現する上で、２層ディスクの反射率の組合せの違いの範囲が明確となる。
また、上記本発明４により、規格外ディスクに関しても適正に判別することができる。
また、本発明１〜４の作用・効果は本発明５〜８の光ディスク装置によっても、同様に奏することができる。
【００１１】
本発明の一実施の形態を図面に基づいて説明する。
本実施の形態の光ディスク装置は、ＣＤ／ＤＶＤ系コンパーチブル型の光ディスク装置１への適用例を示し、図１は当該光ディスク装置の信号処理系を主体に示すブロック構成図である。
即ち、本実施の形態は、ＣＤ系用の波長７８０ｎｍのレーザ光を発する半導体レーザ（光源）２とＤＶＤ系用の波長６６０ｎｍのレーザ光を発する半導体レーザ（光源）３とのチップが内蔵された光源ユニット４を有する光ピックアップ装置５を備え、ＣＤ系／ＤＶＤ系１層型／ＤＶＤ系２層型の光ディスク６に対して共用可能な光ディスク装置への適用例を示す。より具体的には、光ディスク６としてＣＤ−ＲＯＭ、ＣＤ−Ｒ、ＣＤ−ＲＷ、ＤＶＤ−ＲＯＭ、ＤＶＤ±Ｒ、ＤＶＤ±ＲＷ、ＤＶＤ−２層ＲＯＭ（ＲＯＭ型２層ディスク）、ＤＶＤ±２層Ｒ（追記型２層ディスク）、ＤＶＤ±２層ＲＷ（書換え型２層ディスク）が利用可能な光ディスク装置の例である。
【００１２】
図１において、光ディスク６は回転駆動機構の主要部を構成するスピンドルモータ２６により回転駆動される。このスピンドルモータ２６は、モータドライバ７とサーボ手段８とにより、例えば線速度が一定になるように制御される。この線速度は段階的に変更することが可能である。光ピックアップ装置５は、半導体レーザ２及び３、対物レンズ（図示せず）等の対応する光学系、トラッキング／フォーカスアクチュエータ（図示せず）等の他、受光素子やポジションセンサを内蔵しており、択一的に駆動される半導体レーザ２又は３からのレーザ光を光ディスク６に照射する。また、この光ピックアップ装置５は、シークモータ（図示せず）によってスレッジ方向への移動が可能である。これらのトラッキング／フォーカスアクチュエータ及びシークモータは、受光素子とポジションセンサから得られる信号に基づいて、モータドライバ７とサーボ手段８とにより、レーザ光のスポットが光ディスク６上の目的の場所に位置するように制御される。
【００１３】
そして、リード時には、光ピックアップ装置５によって得られた再生信号が、再生信号処理回路１１で増幅されて２値化された後、ＣＤ／ＤＶＤデコーダ１２に入力される。入力された２値化データは、このＣＤ／ＤＶＤデコーダ１２において、ＥＦＭ（Ｅｉｇｈｔ  ｔｏ  Ｆｏｕｒｔｅｅｎ  Ｍｏｄｕｌａｔｉｏｎ、８−１４変調）復調される。なお、記録データは、８ビットずつ纏められてＥＦＭ変調されており、このＥＦＭ変調では、８ビットを１４ビットに変換し、結合ビットを３ビット付加して合計１７ビットにする。この場合に、結合ビットは、それまでの“１”と“０”の数が平均的に等しくなるように付けられる。これを「ＤＣ成分の抑制」といい、ＤＣカットされた再生信号のスライスレベル変動が抑圧される。
【００１４】
復調されたデータは、デインターリーブとエラー訂正の処理が行われる。その後、このデータは、ＣＤ／ＤＶＤ−ＲＯＭデコーダ１３へ入力され、データの信頼性を高めるために、更にエラー訂正の処理が行われる。このように２回のエラー訂正の処理が行われたデータは、バッファマネージャ１４によって一旦バッファＲＡＭ１５に蓄えられ、セクタデータとして揃った状態で、ＡＴＡＰＩ／ＳＣＳＩインターフェース１６を介して、図示しないホストコンピュータへ一気に転送される。なお、音楽データの場合には、ＣＤ／ＤＶＤデコーダ１２から出力されたデータが、Ｄ／Ａコンバータ１７へ入力され、アナログのオーディオ出力信号オーディオ（Ａｕｄｉｏ）として取り出される。
【００１５】
また、ライト時には、ＡＴＡＰＩ／ＳＣＳＩインターフェース１６を通して、ホストコンピュータから送られてきたデータは、バッファマネージャ１４によって一旦バッファＲＡＭ１５に蓄えられる。そして、バッファＲＡＭ１５内にある程度の量のデータが蓄積された状態で、ライト動作が開始されるが、この場合には、その前にレーザスポットを書き込み開始地点に位置させる必要がある。この地点は、トラックの蛇行により予め光ディスク６上に刻まれているウォブル信号によって求められる。
【００１６】
ウォブル信号にはＡＴＩＰと呼ばれる絶対時間情報が含まれており、この情報がＡＴＩＰデコーダ１８によって取り出される。また、このＡＴＩＰデコーダ１８によって生成される同期信号は、ＣＤエンコーダ１９へ入力され、光ディスク６上の正確な位置へのデータの書込みを可能にしている。バッファＲＡＭ１５のデータは、ＣＤ−ＲＯＭエンコーダ２０やＣＤエンコーダ１９おいて、エラー訂正コードの付加やインターリーブが行われ、ＣＤ−Ｒ／ＲＷ用のレーザコントローラ２１、光ピックアップ装置５中の半導体レーザ２を介して、光ディスク６に記録される。
【００１７】
なお、このような光ディスク装置の全体的な制御はＲＯＭ２２、ＲＡＭ２３を備えてマイクロコンピュータとして構成されるＣＰＵ２４により制御され、ＤＶＤ−系の光ディスク６が装填された場合には、ＤＶＤ用のレーザコントローラ２５により光ピックアップ装置５中の半導体レーザ３を発光させることにより、光ディスク６に対する記録又は再生動作が実行される。よって、レーザコントローラ２１、２５及びＣＰＵ２４が光源ユニット４中の半導体レーザ２、３を光ディスク６の種類に応じて択一的に選択駆動させる光源駆動手段として機能する。
【００１８】
このような基本的な構成において、本実施の形態では、当該光ディスク装置１に光ディスク６が装填された場合に、そのディスク種類を判別するためのディスク種類判別モードの処理を実行させるわけであるが、特に、光ディスク６として２層ディスク（ＤＶＤ−ＲＯＭ、ＤＶＤ±Ｒ、ＤＶＤ±ＲＷ）が装填された場合の種類の判別法に特徴がある。
即ち、本実施の形態では、これらの２層ディスクに対する記録又は再生動作において、実際には使用しないＣＤ系用の半導体レーザ２の光を、本来の記録又は再生用の半導体レーザ３の光と共に使用して各々の波長光での反射率を求め、各々の波長光における反射率の組合せが、２層ディスクの種類によって異なる点に着目して、この組合せに応じて２層ディスクの種類を判別するようにしたものである。
【００１９】
まず、この種の２層ディスクとして、ＤＶＤ＋Ｒ（色素系サンプル）、ＤＶＤ＋ＲＷ（相変化型サンプル）及びＤＶＤ−ＲＯＭ（ピットメディア）を用意し、ＤＶＤ用の６６０ｎｍの波長光を照射した場合の反射率と、ＣＤ用の７８０ｎｍの波長光を照射した場合の反射率とを測定したところ、そのデータ例（標準）として表１に示すような結果が得られた。
【表１】
2005056543.tif 000003
【００２０】
因みに、１層ディスクとして、ＤＶＤ＋Ｒ（色素系サンプル）、ＤＶＤ＋ＲＷ（相変化型サンプル）及びＤＶＤ−ＲＯＭ（ピットメディア）を用意し、ＤＶＤ用の６６０ｎｍの波長光を照射した場合の反射率と、ＣＤ用の７８０ｎｍの波長光を照射した場合の反射率とを測定したところ、そのデータ例（標準）として表２に示すような結果が得られた。
【表２】
2005056543.tif 000004
【００２１】
まず、表１に示すデータ例（標準）によれば、２層ディスクの種類を反射率によって判別する際、６６０ｎｍ、７８０ｎｍの各々の波長光における反射率の組合せに応じて、
・２波長光とも１５％以上の反射率の場合：ＤＶＤ−ＲＯＭ
・ＤＶＤ波長光は１５％以上の反射率でＣＤ波長光は４％以上１５％未満の反射率の
場合：ＤＶＤ＋Ｒ
・２波長光とも４％以上１５％未満の反射率の場合：ＤＶＤ＋ＲＷ
と判別し得ることが判る。
更には、２波長光とも４％未満の反射率の場合：規格外ディスク、と判別し得ることも判る。
【００２２】
因みに、ＤＶＤ１層ディスクに関しては、既に市販のドライブで実行されているように、４５％以上の反射率でＤＶＤ−ＲＯＭ又はＤＶＤ−Ｒ、３０％以下１８％以上の反射率でＤＶＤ−ＲＷと判別し得るが、このようなＤＶＤ１層ディスクに関しても、表２に示す波長対応の反射率特性を利用すれば、
・２波長光とも４５％以上の反射率の場合：ＤＶＤ−ＲＯＭ
・ＤＶＤ波長光は４５％以上の反射率でＣＤ波長光は５％以上１８％未満の反射率の
場合：ＤＶＤ＋Ｒ
・ＤＶＤ波長光は１８％以上３０以下の反射率でＣＤ波長光は５％以上１８％未満の
反射率の場合：ＤＶＤ＋ＲＷ
・２波長光とも５％未満の反射率の場合：規格外ディスク
と判別し得ることも判る。
【００２３】
このような波長対応の反射率特性を利用して、本実施の形態の光ディスク装置１では、ＣＰＵ２４による制御の下、図２及び図３に示すような概略フローチャートに従いディスク種別判別処理、特に２層ディスク種別判別処理を行わせるようにしたものである。
【００２４】
本実施の形態では、光ディスク６が装填された場合にディスク種別判別処理モードとして、以下の判別処理が実行されるようにプログラムされている。
或る光ディスク６が装填されたかどうかを常に監視しており（ステップＳ１）、ディスク装填が検知されると（Ｓ１のＹ）、スピンドルモータ２６を駆動して当該光ディスク６を回転させながら（Ｓ２）、ディスク種別判別モードの実行に移行する（Ｓ３）。
そして、一方の光源であるＤＶＤ用の半導体レーザ３を発光駆動させ（Ｓ４）、サーボ手段８、モータドライバ７、フォーカスアクチュエータ等を介してレーザ光の焦点位置をフォーカス方向に一定速度で動かす、いわゆるフォーカススイープを行う（Ｓ５）。このフォーカススイープ時に得られた反射光量信号、フォーカス誤差信号を再生信号処理回路１１を介して取込み（Ｓ６）、これらの信号に基づき光ディスク６の表面から記録面までの距離を算出し、この距離によって、まず、当該光ディスク６がＣＤ系ディスクかＤＶＤ系ディスクかを判別する（Ｓ７）。周知の如く、ＣＤ系ディスクの場合には約１．２ｍｍであり、ＤＶＤ系ディスクの場合には約０．６ｍｍであることを利用するものである。
【００２５】
この判別の結果、所定以上の距離（厚さ）でＣＤ系ディスクと判別された場合には（Ｓ７のＮ）、以後、例えば、特許文献２等で周知の方法によりＣＤディスクの種別の判別処理を行えばよい（省略）。
一方、所定以下の距離（厚さ）でＤＶＤ系ディスクと判別された場合には（Ｓ７のＹ）、反射光量信号及びフォーカス誤差信号に基づき当該光ディスク６の記録面の層数を判別する（Ｓ８）。このステップＳ８の処理が記録層数判別手段の機能として実行されるが、この技術に関しても、例えば特許文献２等で周知であるので、詳細は省略する。
【００２６】
層数判別の結果、２層ディスクと判別された場合には（Ｓ８のＹ）、この半導体レーザ３の照射光を第１の記録層（１層目）に合焦状態で照射したときの反射光を受光素子で受光し再生信号処理回路１１で処理して得られるＲＦ信号レベルによってその反射率を求め（Ｓ９）、更に、第２の記録層（２層目）にフォーカス引込みを行い（Ｓ１０）、半導体レーザ３の照射光を第２の記録層（２層目）に合焦状態で照射したときの反射光を受光素子で受光し再生信号処理回路１１で処理して得られるＲＦ信号レベルによってその反射率を求める（より具体的には、再生光パワーで予めチェックした絶対反射率対応のＲＦ信号レベルを設定しておき、この値との比較により反射率を求めればよい）（Ｓ１１）。求められた反射率は一旦ＲＡＭ２３等に格納される。
引き続き、半導体レーザ３に代えてＣＤ用の７８０ｎｍの波長の半導体レーザ２を発光させ（Ｓ１２）、第１の記録層（１層目）にフォーカス引込みを行い（Ｓ１３）、半導体レーザ２の照射光を第１の記録層（１層目）に合焦状態で照射したときの反射光を受光素子で受光し再生信号処理回路１１で処理して得られるＲＦ信号レベルによってその反射率を求め（Ｓ１４）、更に、第２の記録層（２層目）にフォーカス引込みを行い（Ｓ１５）、半導体レーザ２の照射光を第２の記録層（２層目）に合焦状態で照射したときの反射光を受光素子で受光し再生信号処理回路１１で処理して得られるＲＦ信号レベルによってその反射率を求める（Ｓ１６）。求められたこれらの反射率も、一旦ＲＡＭ２３等に格納される。
これらのステップＳ９〜Ｓ１６の処理が反射率算出手段の機能として実行される。
【００２７】
そして、求められた各々の波長光における反射率の組合せに応じて前述したような閾値を用いて当該光ディスク６の種別を判別する。
即ち、２波長光とも１５％以上の反射率の場合には（Ｓ１７のＹ）、ＤＶＤ−ＲＯＭと判別する（Ｓ１８）。
また、ＤＶＤ波長光は１５％以上の反射率でＣＤ波長光は４％以上１５％未満の反射率の場合には（Ｓ１７のＮ、Ｓ１９のＹ）、ＤＶＤ＋Ｒと判別する（Ｓ２０）。
また、２波長光とも４％以上１５％未満の反射率の場合には（Ｓ１７のＮ、Ｓ１９のＮ、Ｓ２１のＹ）、ＤＶＤ＋ＲＷと判別する（Ｓ２２）。
更に、２波長光とも４％未満の反射率の場合には（Ｓ２１のＮ）、規格外ディスクと判別する（Ｓ２３）。
これらのステップＳ１７〜Ｓ２３の処理が２層ディスク判別手段の機能として実行される。
【００２８】
このような２層ディスクの判別結果は、その後の記録又は再生動作用の装置設定等に供される。
なお、層数判別の結果、１層ディスクと判別された場合（Ｓ８のＮ）の処理としては、以降の判別処理を従来と同様に行っても良いが、２波長光を利用して図３に示すように実行してもよい。
まず、この半導体レーザ３の照射光を記録層に合焦状態で照射したときの反射光を受光素子で受光し再生信号処理回路１１で処理して得られるＲＦ信号レベルによってその反射率を求める（Ｓ３１）。求められた反射率は、一旦ＲＡＭ２３等に格納される。
引き続き、半導体レーザ３に代えてＣＤ用の７８０ｎｍの波長の半導体レーザ２を発光させ（Ｓ３２）、記録層にフォーカス引込みを行い（Ｓ３３）、半導体レーザ２の照射光を記録層に合焦状態で照射したときの反射光を受光素子で受光し再生信号処理回路１１で処理して得られるＲＦ信号レベルによってその反射率を求める（Ｓ３４）。求められたこれらの反射率も、一旦ＲＡＭ２３等に格納される。
【００２９】
そして、求められた各々の波長光における反射率の組合せに応じて前述したような閾値を用いて当該光ディスク６の種別を判別する。
即ち、２波長光とも４５％以上の反射率の場合には（Ｓ３５のＹ）、ＤＶＤ−ＲＯＭと判別する（Ｓ３６）。
また、ＤＶＤ波長光は４５％以上の反射率でＣＤ波長光は５％以上１８％未満の反射率の場合には（Ｓ３５のＮ、Ｓ３７のＹ）、ＤＶＤ＋Ｒと判別する（Ｓ３８）。
また、ＤＶＤ波長光は１８％以上３０以下の反射率でＣＤ波長光は５％以上１８％未満の反射率の場合には（Ｓ３５のＮ、Ｓ３７のＹ、Ｓ３９のＹ）、ＤＶＤ＋ＲＷと判別する（Ｓ４０）。
２波長光とも５％未満の反射率の場合には（Ｓ３９のＮ）、規格外ディスクと判別する（Ｓ４１）。
【００３０】
次に、２層ディスクの具体例の基づく判別処理結果について説明する。
［具体例１］…ＤＶＤ＋ＲＷ（２層相変化型サンプル）の場合、
案内溝を有する第１の透明基板（ポリカーボネート）上に、第１保護層（ＺｎＳＳｉＯ２、厚さ７０ｎｍ）、第１の情報記録層（Ａｇ５Ｉｎ５Ｇｅ５Ｓｂ６７Ｔｅ１８、厚さ１７ｎｍ）、第２保護層（ＺｎＳＳｉＯ２、厚さ１７ｎｍ）を順に設け、その上に熱が逃げ易いように反射層（Ａｇ、厚さ１２０ｎｍ）を設けて第１の情報記録構成体を形成した。
一方、案内溝を有する透明基板（ポリカーボネート）上に、保護層（ＺｎＳＳｉＯ２、厚さ６５ｎｍ）、記録層（Ａｇ５Ｉｎ５Ｇｅ５Ｓｂ６７Ｔｅ１８厚さ７ｎｍ）、保護層（ＺｎＳＳｉＯ２、厚さ１８ｎｍ）、ＺｒＣＯ層（厚さ３ｎｍ）、反射層（Ａｇ、厚さ１０ｎｍ）、半透明層（ＩＴＯ；Ｉｎ２Ｏ３とＳｎＯの混合物、厚さ１００ｎｍ）を順に設けて第２記録層構成体を形成した。
この第１記録層構成体と第２記録層構成体を、厚さ５５μｍのＵＶ硬化樹脂（ＳＤ３１８）を用いて貼り合わせて２層ディスクを得た。
第１記録層構成体の基板は、トラックピッチ０．８μｍ、第２記録層構成体の基板はトラックピッチ０．７４μｍとした。
上記２層ディスクに対してサーボ制御を行ったところ、ＤＶＤ波長＝６６０ｎｍでフォーカスが２層とも良好に入り、各層の反射率は７％と８％であり、また、ＣＤ波長＝７８０ｎｍでも各層の反射率は８％と１０％として検出され、図２に示した概略フローチャートに従えば、２波長光とも４％以上１５％未満の反射率であり、ステップＳ２１、Ｓ２２により２層のＤＶＤ＋ＲＷであると判別できた。
【００３１】
［具体例２］
具体例１で作成したディスクの光入射面と反対面にラッカーをスクリーン印刷（紫外硬化）し、光入射面にこの樹脂面が来るようにして光ディスク装置１に装填した結果、ＤＶＤ波長＝６６０ｎｍ及びＣＤ波長＝７８０ｎｍでフォーカスしたときのＲＦ信号から求められる反射率が１％となり、ＲＯＭ型、Ｒ型、ＲＷ方の何れでもでもないことが判った。即ち、図２に示した概略フローチャートに従えば、ステップＳ２３により規格外のディスクであると判別できた。
【００３２】
［具体例３］
ポリカーボネート製の第１の基板上に、第１色素層（シアニン）をスピンコートで形成し、その上に第１半透明層としてＩＺＯ（Ｉｎ２Ｏ３とＺｎＯの混合物）をスパッタで形成した。一方、ポリカーボネート製の第２の基板上に、第２半透明層としてＩＺＯをスパッタで形成した後、スピンコートで第２色素層（シアニン）を形成した。次いで、第１色素層等を形成した第１の基板と第２色素層等を形成した第２の基板同士を色素層が内側になるように対向させてＵＶ硬化樹脂（ＳＤ３１８）で貼り合わせて２層ディスクを得た。
なお、各構成層の厚さは、次の通りに制御して作製した。
両基板：０．６ｍｍ、第１色素層：６０ｎｍ、第１半透明層：８０ｎｍ、樹脂中間層：５５μｍ、第２色素層：７０ｎｍ、第２半透明層：１００ｎｍ
また、第１の基板のトラックピッチは０．７４μｍ、第２の基板のトラックピッチは０．８０μｍとした。
上記２層ディスクに対してサーボ制御を行ったところ、ＤＶＤ波長＝６６０ｎｍでフォーカスが２層とも良好に入り、各層の反射率は１９％と１８％であり、また、ＣＤ波長＝７８０ｎｍでも各層の反射率は５％と６％として検出され、図２に示した概略フローチャートに従えば、ＤＶＤ波長光の反射率は１５％以上でＣＤ波長光の反射率が４％以上１５％未満であり、ステップＳ１９、Ｓ２０により２層のＤＶＤ＋Ｒであると判別できた。
【００３３】
［具体例４］
ポリカーボネート製の第１の基板（ピット入り）上に、第１無機層としてＳｉＮを厚さ１０ｎｍスパッタで形成し、また一方で、ポリカーボネート製の第２の基板上に第２無機層としてＡｌ９９Ｔｉ１を厚さ１００ｎｍスパッタで形成した後、これらの基板同士を無機層が内側になるように対向させてＵＶ硬化樹脂（ＳＤ３１８、厚さ５５μｍ）で貼り合わせた。第１の基板のトラックピッチは０．７４μｍ、第２の基板のトラックピッチは０．８０μｍとした。
上記２層ディスクに対してサーボ制御を行ったところ、ＤＶＤ波長＝６６０ｎｍでフォーカスが２層とも良好に入り、各層の反射率は２５％と２６％であり、また、ＣＤ波長＝７８０ｎｍでも各層の反射率は２６％と２７％として検出され、図２に示した概略フローチャートに従えば、２波長光とも１５％以上の反射率であり、ステップＳ１７、Ｓ１８により２層のＤＶＤ−ＲＯＭであると判別できた。
【発明の効果】
【００３４】
本発明１、５によれば、異なる波長光を照射したときの反射率の組合せの違いを利用して２層ディスクに関してその種類を判別するようにしたので、反射率だけで簡単かつ正確にその種類を判別することができる。
本発明２、６によれば、いわゆるＤＶＤ系とＣＤ系とのコンパーチブル型光ディスク装置に搭載されている２つの光源を利用することにより、本発明１、５を容易に実現することができる。
本発明３、７によれば、本発明１、２、５、６を実現する上で、２層ディスクの反射率の組合せの違いの範囲が明確となる。
本発明４、８によれば、規格外ディスクに関しても適正に判別することができる。
【図面の簡単な説明】
【００３５】
【図１】本発明の一実施の形態の光ディスク装置の信号処理系を主体に示すブロック構成図である。
【図２】ディスク種別判別処理例を示す概略フローチャートである。
【図３】ディスク種別判別処理例の続きを示す概略フローチャートである。
【符号の説明】
【００３６】
１  光ディスク装置
２  光源
３  光源
５  光ピックアップ
６  光ディスク
【図１】
2005056543.tif 000005
【図２】
2005056543.tif 000006
【図３】
2005056543.tif 000007